(57)【要約】【課題】表示言語に応じた表示を的確に行なうことができる表示装置を提供する。【解決手段】装置の全体としての表示言語とは別に、表示項目ごとに言語の設定が行なわれる。「前田」、「佐藤」の項目には日本語が、「Herry」、「Project 1」の項目には英語が設定されている。装置の全体としての表示言語が日本語から英語へ変更されても、言語の設定が行われている項目においては、装置全体としての表示言語に依存せず、設定した言語での表示が行われる。【選択図】図１２
2008078902.tif 000002
【特許請求の範囲】
【請求項１】
言語を切替えて項目を表示することが可能な表示部と、
前記表示部における表示言語を登録する第１の登録手段と、
前記表示部に表示する項目とその項目の表示言語とを登録する第２の登録手段と、
前記第２の登録手段で登録された項目が前記表示部に表示されている場合において、前記第１の登録手段によって前記表示部における表示言語が切替えられたときに、前記第２の登録手段で登録された項目の表示言語は切替えられないよう制御する制御手段とを備えた、表示装置。
【請求項２】
前記第２の登録手段で登録された項目は、送信先の宛先および名称のいずれかを含む、請求項１に記載の表示装置。
【請求項３】
前記第２の登録手段による登録を記憶する記憶手段と、
前記記憶手段に格納できる言語データの空き容量に応じて、前記第２の登録手段で選択可能な表示言語を選択する選択手段をさらに備えた、請求項１または２に記載の表示装置。
【請求項４】
言語に連動して、アイコンやマークの表示切替えを行なう、請求項１から３のいずれかに記載の表示装置。
【請求項５】
前記第２の登録手段において、アイコンやマークが登録されているときは、それらを優先的に表示する、請求項１から４のいずれかに記載の表示装置。
【請求項６】
メモリが不足しているときは、登録されている項目のうち使用頻度の低いものを削除する、請求項１から５のいずれかに記載の表示装置。
【請求項７】
前記第２の登録手段で登録された表示言語のデータがない場合、前回表示を行なった言語、または予め選択された言語で表示を行なう請求項１から６のいずれかに記載の表示装置。
【請求項８】
言語を切替えて項目を表示することが可能な表示部と、
前記表示部における表示言語を登録する第１の登録手段と、
前記表示部に表示する項目とその項目の表示言語とを登録する第２の登録手段とを備えた表示装置の制御方法であって、
前記第２の登録手段で登録された項目が前記表示部に表示されている場合において、前記第１の登録手段によって前記表示部における表示言語が切替えられたときに、前記第２の登録手段で登録された項目の表示言語は切替えられないよう制御する制御ステップを備えた、表示装置の制御方法。
【請求項９】
言語を切替えて項目を表示することが可能な表示部と、
前記表示部における表示言語を登録する第１の登録手段と、
前記表示部に表示する項目とその項目の表示言語とを登録する第２の登録手段とを備えた表示装置の制御プログラムであって、
前記第２の登録手段で登録された項目が前記表示部に表示されている場合において、前記第１の登録手段によって前記表示部における表示言語が切替えられたときに、前記第２の登録手段で登録された項目の表示言語は切替えられないよう制御する制御ステップをコンピュータに実行させる、表示装置の制御プログラム。
【発明の詳細な説明】
【技術分野】
【０００１】
この発明は表示装置、表示装置の制御方法、および表示装置の制御プログラムに関し、特に複数の言語で表示を行なうことができる表示装置、表示装置の制御方法、および表示装置の制御プログラムに関する。
【背景技術】
【０００２】
ＭＦＰ（Multi Function Peripheral）、複写機、ファクシミリ装置などの画像形成装置や、ＰＣ（Personal Computer）などの情報機器や、制御機器などには、操作を行なうオペレータ（ユーザ）に対して情報を表示する表示装置が備えられている。
【０００３】
異なる国籍の複数のオペレータが同じ機器を使用する場合に、自分が登録したワンタッチ名やグループで使用しているワンタッチ名が希望する言語で表示されない場合には、押し間違いが生じたり、表示の切替操作（言語の変更操作）を頻繁に行なう必要が生じ、煩わしいという問題がある。そこで、表示装置に表示する言語をどのように切替えるかが問題となる。
【０００４】
下記特許文献１は、使用するアプリケーションによって表示部に表示する画面を切替え、アプリケーションごとに表示言語を切替える画像形成装置を開示している。
【０００５】
特許文献２は、管理者と一般ユーザとの言語設定範囲を個別に設定でき、管理者の言語切替えは特定の認証処理後に行なう表示装置を開示している。
【０００６】
特許文献３は、ユーザと表示言語とを関連付け、ユーザ認証を行なうことでユーザに応じた言語での表示を行なう複合機を開示している。
【特許文献１】特開２００２−１２０４４４号公報
【特許文献２】特開２００５−１９７９２３号公報
【特許文献３】特開２００５−１５１４１５号公報
【発明の開示】
【発明が解決しようとする課題】
【０００７】
しかしながら、上記特許文献１および３の技術では、装置を使用するユーザなどを設定しなければならなかったり、ユーザ認証したくないユーザに対しても認証を要求することとなり、操作が煩わしいという問題がある。
【０００８】
上記特許文献２の技術においては、管理者と一般ユーザを分けた登録を行なうことができるが、一般ユーザ内で複数の言語を個別に設定することができない。
【０００９】
また従来の技術では、他のユーザが表示言語を切替えた場合に、個人ごとに設定が可能な項目も連動して表示言語が切替わってしまう。さらに、表示言語データを参照して設定されたデータの表示を行なうため、言語データが変わった場合に登録した表示が正しく行われない可能性がある。すなわち、切替え後の言語データの文字コードが切替え前の文字コードに対応しない場合、文字コードが意図するものと違うものとなり、表示が正しく行なわれない場合がある。
【００１０】
これまでは同一職場にて異なる言語を使用する場面はあまりなく、表示言語が切替えられる事がめったに発生しなかったため、上述の問題が発生することは少なかったが、近年、複数国籍のユーザが同一職場で同一装置を使用する場面が増加しているため、より細やかな対応が必要となってきている。
【００１１】
この発明は上記問題点を解決するためになされたものであり、表示言語に応じた表示を的確に行なうことができる表示装置、表示装置の制御方法、および表示装置の制御プログラムを提供することを目的としている。
【課題を解決するための手段】
【００１２】
上記目的を達成するためこの発明のある局面に従うと、表示装置は、言語を切替えて項目を表示することが可能な表示部と、表示部における表示言語を登録する第１の登録手段と、表示部に表示する項目とその項目の表示言語とを登録する第２の登録手段と、第２の登録手段で登録された項目が表示部に表示されている場合において、第１の登録手段によって表示部における表示言語が切替えられたときに、第２の登録手段で登録された項目の表示言語は切替えられないよう制御する制御手段とを備える。
【００１３】
好ましくは第２の登録手段で登録された項目は、送信先の宛先および名称のいずれかを含む。
【００１４】
好ましくは表示装置は、第２の登録手段による登録を記憶する記憶手段と、記憶手段に格納できる言語データの空き容量に応じて、第２の登録手段で選択可能な表示言語を選択する選択手段をさらに備える。
【００１５】
好ましくは表示装置は、言語に連動して、アイコンやマークの表示切替えを行なう。
好ましくは表示装置は、第２の登録手段において、アイコンやマークが登録されているときは、それらを優先的に表示する。
【００１６】
好ましくは表示装置は、メモリが不足しているときは、登録されている項目のうち使用頻度の低いものを削除する。
【００１７】
好ましくは表示装置は、第２の登録手段で登録された表示言語のデータがない場合、前回表示を行なった言語、または予め選択された言語で表示を行なう。
【００１８】
この発明の他の局面に従うと表示装置の制御方法は、言語を切替えて項目を表示することが可能な表示部と、表示部における表示言語を登録する第１の登録手段と、表示部に表示する項目とその項目の表示言語とを登録する第２の登録手段とを備えた表示装置の制御方法であって、第２の登録手段で登録された項目が表示部に表示されている場合において、第１の登録手段によって表示部における表示言語が切替えられたときに、第２の登録手段で登録された項目の表示言語は切替えられないよう制御する制御ステップを備える。
【００１９】
この発明のさらに他の局面に従うと表示装置の制御プログラムは、言語を切替えて項目を表示することが可能な表示部と、表示部における表示言語を登録する第１の登録手段と、表示部に表示する項目とその項目の表示言語とを登録する第２の登録手段とを備えた表示装置の制御プログラムであって、第２の登録手段で登録された項目が表示部に表示されている場合において、第１の登録手段によって表示部における表示言語が切替えられたときに、第２の登録手段で登録された項目の表示言語は切替えられないよう制御する制御ステップをコンピュータに実行させる。
【発明の効果】
【００２０】
これらの発明に従うと、表示言語に応じた表示を的確に行なうことができる表示装置、表示装置の制御方法、および表示装置の制御プログラムを提供することが可能となる。
【発明を実施するための最良の形態】
【００２１】
図１は、本発明の実施の形態の１つにおける画像管理システムの構成を示す図である。
図を参照して、画像管理システムは、ＬＡＮに接続された画像読取装置としてのＭＦＰ１００ａ，１００ｂと、ユーザＡのＰＣ２００ａと、ユーザＢのＰＣ２００ｂと、ＭＦＰの管理者のＰＣ２００ｃと、Ｅ−ｍａｉｌサーバ３００と、画像データデータベース（ＤＢ）４００とを備えている。
【００２２】
図２は、ＭＦＰ１台のシステム構成を示すブロック図である。
ＭＦＰ１００ａは、主な構成要素として、ＣＰＵ１０１、ＲＡＭ１０３、ＲＯＭ１０５、タッチパネル形式の操作パネル１０７、スキャナ部１０９、プリンタ部１１１、記憶装置１１３、およびネットワークインターフェースカード（ＮＩＣ）１１５を備えている。
【００２３】
ＮＩＣ１１５は、ＬＡＮを介してＰＣからプリントジョブデータを受信したり、スキャ
ン、ＦＡＸ送信において画像データを送受信したりするためのインターフェースである。
【００２４】
スキャナ部１０９は、セットされた原稿をスキャンし、原稿の画像データを得る公知の装置である。
【００２５】
プリンタ部１１１は、公知の電子写真方式により、スキャナ部１０９で作成された画像データなどを、プリントデータとしての印刷のためのデータに変換し、変換後のデータに基づいて文書等の画像を印刷する装置である。
【００２６】
操作パネル１０７は、コピーの画質、用紙設定や、スキャンの送信先の登録・選択などを行なうための、表面にタッチパネルが積層された液晶表示装置である。
【００２７】
ＣＰＵ１０１は、ＲＯＭ１０５から必要なプログラムを読み出して、システム全体の機能を制御する。ＲＯＭ１０５には、ＭＦＰ全体を制御するプログラムが格納されている。ＲＡＭ１０３は、ＣＰＵ１０１におけるプログラム実行時のワークエリアとなる。また、ＲＡＭ１０３には、スキャナ部１０９で読取られた画像データ等が一時的に保存される。
【００２８】
操作パネル１０７は複数の言語表示に対応し、登録された言語に応じて表示を切替える。切替えを行なうため記憶装置１１３は、異なる複数の言語データを保持する。
【００２９】
また記憶装置１１３は、設定内容（項目）ごとに指定された言語を登録する。操作パネル１０７は、画面ごとの描画処理のタイミングにおいて、登録された設定に応じて表示言語を切替える。
【００３０】
また、ＲＡＭ１０３は項目ごとに言語の表示頻度を記憶する。操作パネル１０７は、表示頻度が高い言語で表示を行なうことができる。
【００３１】
図３は、ＭＦＰ１台に含まれる表示装置の構成を示すブロック図である。
これらのブロックで示される機能は、ＣＰＵ１０１、ＲＡＭ１０３、ＲＯＭ１０５、操作パネル１０７、および記憶装置１１３で実現される。
【００３２】
図を参照して表示装置は、言語データ保持部２０１と、言語データ切替部２０３と、本体設定保持部２０５と、描画処理部２０７と、表示部２０９と、操作部２１１とを備えている。
【００３３】
言語データ保持部２０１は、切替え可能な各言語データ２０１ａ，２０１ｂ，・・・を保持する。例えば、同一内容のメッセージに対して、日本語、英語、フランス語、・・・などといったデータが保持される。
【００３４】
本体設定保持部２０５は、複数の設定項目登録部２３１ａ，２３１ｂ，・・・と、装置言語登録部２５１とを備える。設定項目登録部２３１ａ，２３１ｂ，・・・のそれぞれは、選択言語２５１ａ，２５１ｂ，・・・と、項目２５３ａ，２５３ｂ，・・・，２５５ａ，２５５ｂ，・・・を登録する。これにより、表示部２０９に表示される項目と、その表示言語の情報が保持される。
【００３５】
言語データ切替部２０３は、設定項目を表示するときに、設定されている言語データに従って参照する言語を切替える。
【００３６】
図４は、第１のモードにおけるＭＦＰが実行する表示部２０９に表示する項目の設定登録処理を示すフローチャートである。
【００３７】
ステップＳ１０１で、登録すべき表示項目の選択を受付ける。ステップＳ１０３で、登録する言語の切替えを行なうかの選択を受付ける。ＹＥＳであれば、ステップＳ１０７でオペレータが希望する言語データの選択を受付け、ステップＳ１０５で選択された言語での登録を受付ける。
【００３８】
切り替えが必要なければ（Ｓ１０３でＮＯ）、ステップＳ１０５において、表示中の言語での登録を受付ける。
【００３９】
図５は、第２のモードにおけるＭＦＰが実行する表示部２０９に表示する項目の設定登録処理を示すフローチャートである。
【００４０】
ステップＳ２０１で、登録すべき表示項目の選択を受付ける。ステップＳ２０３で、登録する言語の切替えを行なうかの選択を受付ける。ＹＥＳであれば、ステップＳ２１３において、言語を切替えて登録を行なう場合にメモリ容量は問題ないか判定する。ＹＥＳであれば、ステップＳ２１５でオペレータが希望する言語データの選択を受付け、ステップＳ２０７で選択された言語での登録を受付ける。
【００４１】
ステップＳ２１３でＮＯであれば、ステップＳ２１７でメモリ容量が不足しないデータ量の言語をピックアップし、ステップＳ２１５でピックアップされた言語の中からの選択を受付け、ステップＳ２０７へ進む。
【００４２】
切り替えが必要なければ（Ｓ２０３でＮＯ）、ステップＳ２０５において、言語をそのままの状態にして登録を行なう場合にメモリ容量は問題ないか判定する。ＹＥＳであれば、ステップＳ２０７で現在選択されている言語での登録を受付ける。
【００４３】
ステップＳ２０５でＮＯであれば、ステップＳ２０９でメモリ容量が不足しないデータ量の言語をピックアップし、ステップＳ２１１でピックアップされた言語の中からの選択を受付け、ステップＳ２０７で選択された言語での登録を受付ける。
【００４４】
以上の処理により、メモリ容量が少ない場合は、オペレータに容量の大きな言語を選択させなくする（選択肢から外す）ことができる。また、言語切替えを行なわない場合においてメモリ容量が不足しそうな言語であるときは、オペレータに言語を切替えさせることができる。
【００４５】
図６は、第３のモードにおけるＭＦＰが実行する表示部２０９に表示する項目の設定登録処理を示すフローチャートである。
【００４６】
ステップＳ３０１で、登録すべき表示項目の選択を受付ける。ステップＳ３０３で、登録する言語の切替えを行なうかの選択を受付ける。ＹＥＳであれば、ステップＳ３１３でオペレータが希望する言語データの選択を受付け、ステップＳ３０５で選択された言語での登録を受付ける。切り替えが必要なければ（Ｓ３０３でＮＯ）、ステップＳ３０５において、表示中の言語での入力を受付ける。
【００４７】
入力中にステップＳ３０７においてメモリ容量が不足していないかを判定し、ＹＥＳであればステップＳ３０９で入力を受付ける。ステップＳ３１１で入力を終了するかを判定し、ＮＯであればステップＳ３０５へ戻り、ＹＥＳであれば終了する。
【００４８】
ステップＳ３０７でＮＯであれば、ステップＳ３１５で入力を禁止する。ステップＳ３１７で入力を終了するかを判定し、ＮＯであればステップＳ３０５へ戻り、ＹＥＳであれば終了する。
【００４９】
当該処理によると、例えば言語を入力することによってメモリ容量が不足しそうな場合には、入力可能文字数を少なくする（制限する）ことができる。
【００５０】
なお、図５および６の処理により判断の対象とするメモリ容量は、装置全体のメモリ容量であってもよいし、設定ごとに割当てられたメモリ容量であってもよい。また、どのメモリを用いるかの指定をオペレータから受付けるようにしてもよい。
【００５１】
図７は、図４のステップＳ１０３などで表示される言語データの切替え選択画面を示す図である。
【００５２】
当該画面によって、ユーザは設定項目登録時に、入力に使用したい言語を切替えるか否かを選択することができる。
【００５３】
図８は、図４のステップＳ１０７などで表示される言語データの選択画面を示す図である。
【００５４】
当該画面によって、ユーザは設定項目登録時に、入力に使用したい言語の選択を行なうことができる。
【００５５】
図９は、言語データの切替えを許可するか否かの選択画面を示す図である。
当該画面によって、管理者などは、設定項目登録時に言語データの切替え（選択）を許可するか否かを設定することができる。
【００５６】
図１０は、言語に応じた表示の切替え処理を示すフローチャートである。
ステップＳ４０１において、１つの画面の描画を開始する。表示言語が選択されている項目があれば（Ｓ４０３でＹＥＳ）、その項目について選択されている言語データが存在するかを判定する（Ｓ４０７）。ＹＥＳであれば、ステップＳ４１１でその項目は選択された言語で描画する。ＮＯであれば、ステップＳ４０９でその項目は優先言語として設定された言語で描画する。これにより、言語データが存在しなければ、優先設定された言語での表示に切替えが行なわれる。なお、優先言語は前回表示を行なった言語であってもよいし、予め定められた言語であってもよい。
【００５７】
表示言語が選択されていない項目は、ステップＳ４０５で装置に設定された言語（装置の全体としての表示言語）で描画される。
【００５８】
図１１は、設定に応じた言語での表示部２０９の表示例を示す図である。
図を参照して、設定内容（表示項目）ごとに、指定された言語にて表示が行なわれる。また、装置の全体としての表示言語は、装置言語登録部２５１（図３）に登録されるが、設定内容の表示言語は、装置の全体としての表示言語に依存しない。
【００５９】
ここでは、「山田  太郎」、「Development Division」、「Bob Jackson」、「総務」のそれぞれが設定内容であり、それぞれの表示言語として、日本語、英語、英語、日本語が登録されているものとする。また、装置の全体としての表示言語は日本語であり、これに基づき「キャンセル」、「ＯＫ」、「ワンタッチを選択できます」の項目が日本語で表示される。
【００６０】
なお、項目にはメッセージ、アイコン、マークなどを含めることができる。メッセージとしては、図１１に示されるようなワンタッチ機能の送信先の宛先、名称などを含めることができる。
【００６１】
図１２は、装置の全体としての表示言語の切替えの具体例を示す図である。
ＭＦＰは、記憶装置１１３内に複数の記憶領域（ＢＯＸ）を有し、ユーザや部門ごとにデータを分類して記憶することが可能である。ここでは、ＢＯＸに記録されたドキュメントの操作を行なう画面の表示を例に挙げる。図１２左に示されるように、装置の全体としての表示言語は日本語であり、これに基づき「キャンセル」、「ＯＫ」、「ボックスを選択できます」、「前画面」、「次画面」の項目が日本語で表示される。
【００６２】
また、ＢＯＸごとに言語の設定が行なわれており、「前田」、「佐藤」のＢＯＸは日本語が、「Herry」、「Project 1」のＢＯＸは英語が選択されているものとする。これにより、ＢＯＸごとに、英語で表示が行なわれるか、日本語で表示が行なわれるかが決定される。
【００６３】
装置の全体としての表示言語が日本語から英語へ変更されることで、図１２左の表示は、図１２右の表示へ移行する。ここでは、装置の全体としての表示言語が英語であるために、「Cancel」、「Enter」、「Select the BOX」、「Back」、「Fwd」の項目が英語で表示される。
【００６４】
但し、装置の全体としての表示言語の切替えを行なっても、言語の設定が行われているＢＯＸにおいては、装置全体としての表示言語に依存せず、設定した言語での表示が行われる。
【００６５】
このように、ＢＯＸは装置全体としての表示言語に依存しないため、ユーザがＢＯＸのみ操作したい場合は、装置全体の言語として何が設定されていても、ユーザはその表示言語を切替えることなく操作を行なうことが可能である。
【００６６】
すなわち、図１２では、「前田」の項目に日本語が設定されているため、常に「前田」のキーは日本語で表示される（装置全体としての表示言語が英語であったとしても、日本語で表示される）。
【００６７】
このような表示処理は、図１０のフローチャートにより実現される。すなわち、装置全体としての表示言語が切替えられると、新しい画面の描画処理を行なうが、表示言語が選択されている項目に関しては、その言語データがある限り選択された言語で表示される。
【００６８】
図１３は、言語に応じたアイコンの切替え処理を示すフローチャートである。
ステップＳ５０１で言語の切替えが行なわれると、ステップＳ５０３で言語に連動したアイコンの切替えが設定されているかが判定され、ＹＥＳであればステップＳ５０９でアイコンデータの切替えを行なう。その後、ステップＳ５０７で選択された言語での入力（または表示）処理を行なう。
【００６９】
ステップＳ５０３でＮＯであれば、ステップＳ５０５で言語に連動したアイコン切替えを行なうかを判定し、ＹＥＳであればステップＳ５０９へ進む。ＮＯであれば、アイコンデータの切替えを行なわないまま、ステップＳ５０７へ進む。
【００７０】
以上の処理により、言語の切替えを行なった時に、アイコン、マークをその言語が使用される国・地域で使用される一般的なデザインのものに連動して切替えることができる。
【００７１】
また図１３の処理を、項目としてアイコンを登録するときに実行することで、言語に対応したアイコンを登録できるという効果がある。
【００７２】
アイコンを切替えるか否かについては、デフォルトで設定していてもよいし、登録ごとに選択を行なうようにしてもよい。また、言語に連動するアイコンは、ユーザが個別に設定することもできる。
【００７３】
図１４は、アイコンの表示例を示す図である。
図においては、画質を示す６個のアイコンが表示されている。このようなアイコンは、表示される言語に応じて切替えることができる。選択された言語が使用される地域に応じたアイコンを表示することにより、ユーザがより認識しやすい表示を行なうことができる。アイコンは、装置全体の言語に併せて変更するようにしてもよいし、項目の入力時にその項目の言語に併せて変更するようにしてもよい。また、アイコンはユーザが任意に登録できるようにしてもよい。
【００７４】
図１５は、設定に応じた言語での表示部２０９の表示例を示す図である。
登録時にアイコンやマークが登録されているときは、それらの優先順位を上げて表示を行なうことができる。すなわち、メッセージでの登録よりも表示順序が先となるように、順番の入替えが行なわれる。
【００７５】
図１６は、装置の言語切替えに伴なう表示の切替えの具体例を示す図である。
図に示されるように、装置の表示言語の切替えに応じて、登録したメッセージの表示の切替えを行なうことも可能である。すなわち、図１６左に示されるように、装置全体としての言語が日本語であり、各項目がそれぞれに対して設定された言語で表示されているものとする。ここで、装置全体としての言語が英語に変更されると、図１６右に示されるように、各項目の表示が英語に変更される。図１２の表示と図１６の表示とは、ユーザが選択できるようにしてもよい。
【００７６】
図１７は、メモリ容量不足の場合にメッセージを削除する処理を示すフローチャートである。
【００７７】
ステップＳ６０１で、登録すべき表示項目の選択を受付ける。ステップＳ６０３で、登録するメモリ容量に問題がないかを判定する。ＹＥＳであればステップＳ６０５で登録処理を行なう。ＮＯであれば、ステップＳ６０７において、登録された各メッセージ（各項目）の使用頻度のチェックを行なう。ステップＳ６０９で使用頻度の低いメッセージの削除を行ない、ステップＳ６０５に移る。
【００７８】
この処理により、使用頻度が低いものについては削除を行ない、メモリ容量を確保することができる。
【００７９】
図１８は、メモリ容量不足の場合にメッセージを削除する処理を示すフローチャートである。
【００８０】
ステップＳ７０１で、登録すべき表示項目の選択を受付ける。ステップＳ７０３で、登録するメモリ容量に問題がないかを判定する。ＹＥＳであればステップＳ７０５で登録処理を行なう。ＮＯであれば、ステップＳ７０７において、各言語の使用頻度のチェックを行なう。ステップＳ７０９で使用頻度の低い言語を使用しているメッセージの削除を行ない、ステップＳ７０５に移る。
【００８１】
この処理により、使用頻度が低い言語のメッセージを削除することで、メモリ容量を確保することができる。
【００８２】
なお、図１７および１８の処理において、どの程度の使用頻度であれば削除するかの設定をユーザから受付けるようにしてもよい。
【００８３】
［実施の形態における効果］
以上説明した実施の形態によると、ワンタッチボタン、ボックス、インデックスなどの登録時に、個別に言語を切替えて登録することができる。表示言語を切替えても、登録された箇所はそれを登録したユーザが認識しやすい表示のままになることで、ユーザの操作性が向上する。また、ユーザは自分が登録したものかどうか確認しやすくなり、間違って他人の登録した項目を選択することが少なくなる。
【００８４】
［その他］
本発明はＭＦＰ、ファクシミリ装置、複写機、ＰＣその他の画像形成装置、情報装置、制御機器などに対して実施することができる。
【００８５】
また、上述の実施の形態における処理は、ソフトウエアによって行なっても、ハードウエア回路を用いて行なってもよい。
【００８６】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８７】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８８】
【図１】本発明の実施の形態の１つにおける画像管理システムの構成を示す図である。
【図２】ＭＦＰ１台のシステム構成を示すブロック図である。
【図３】ＭＦＰ１台に含まれる表示装置の構成を示すブロック図である。
【図４】第１のモードにおけるＭＦＰが実行する表示部２０９に表示する項目の設定登録処理を示すフローチャートである。
【図５】第２のモードにおけるＭＦＰが実行する表示部２０９に表示する項目の設定登録処理を示すフローチャートである。
【図６】第３のモードにおけるＭＦＰが実行する表示部２０９に表示する項目の設定登録処理を示すフローチャートである。
【図７】図４のステップＳ１０３などで表示される言語データの切替え選択画面を示す図である。
【図８】図４のステップＳ１０７などで表示される言語データの選択画面を示す図である。
【図９】言語データの切替えを許可するか否かの選択画面を示す図である。
【図１０】言語に応じた表示の切替え処理を示すフローチャートである。
【図１１】設定に応じた言語での表示部２０９の表示例を示す図である。
【図１２】装置の全体としての表示言語の切替えの具体例を示す図である。
【図１３】言語に応じたアイコンの切替え処理を示すフローチャートである。
【図１４】アイコンの表示例を示す図である。
【図１５】設定に応じた言語での表示部２０９の表示例を示す図である。
【図１６】装置の言語切替えに伴なう表示の切替えの具体例を示す図である。
【図１７】メモリ容量不足の場合にメッセージを削除する処理を示すフローチャートである。
【図１８】メモリ容量不足の場合にメッセージを削除する処理を示すフローチャートである。
【符号の説明】
【００８９】
１００ａ，１００ｂ  ＭＦＰ、１０１  ＣＰＵ、１０３  ＲＡＭ、１０５  ＲＯＭ、１０７  操作パネル、１０９  スキャナ部、１１１  プリンタ部、１１３  記憶装置、１１５  ネットワークインターフェースカード、２０１  言語データ保持部、２０３  言語データ切替部、２０５  本体設定保持部、２０７  描画処理部、２０９  表示部、２１１  操作部、２３１ａ，２３１ｂ  設定項目登録部、２５１  装置言語登録部。
【図１】
2008078902.tif 000003
【図２】
2008078902.tif 000004
【図３】
2008078902.tif 000005
【図４】
2008078902.tif 000006
【図５】
2008078902.tif 000007
【図６】
2008078902.tif 000008
【図７】
2008078902.tif 000009
【図８】
2008078902.tif 000010
【図９】
2008078902.tif 000011
【図１０】
2008078902.tif 000012
【図１１】
2008078902.tif 000013
【図１２】
2008078902.tif 000014
【図１３】
2008078902.tif 000015
【図１４】
2008078902.tif 000016
【図１５】
2008078902.tif 000017
【図１６】
2008078902.tif 000018
【図１７】
2008078902.tif 000019
【図１８】
2008078902.tif 000020